(57)【要約】 【課題】カメラレンズ保管および交換装置を提供する。 【解決手段】本発明は、本体と、前記本体の両端に設けられ、カメラレンズのレンズマウントに結合する一対の結合マウントと、前記本体の外面に設けられる一対の回転環とを含んでなる、カメラレンズ保管および交換装置を提供する。【選択図】図１
2016520849.tif 000002
【特許請求の範囲】
【請求項１】
本体と、
前記本体の両端に設けられ、カメラレンズのレンズマウントに結合する一対の結合マウントと、
前記本体の外面に設けられる一対の回転環とを含んでなることを特徴とする、カメラレンズ保管および交換装置。
【請求項２】
前記一対の回転環は、両端が連結されて設けられる紐を備えることを特徴とする、請求項１に記載のカメラレンズ保管および交換装置。
【請求項３】
前記結合マウントの内周面には、前記レンズマウントが結合した後に離脱しないようにする複数の固定部が備えられることを特徴とする、請求項１に記載のカメラレンズ保管および交換装置。
【請求項４】
前記本体は、前記レンズマウントの末端が前記固定部から容易に分離されるようにするボタンをさらに備えることを特徴とする、請求項１に記載のカメラレンズ保管および交換装置。
【請求項５】
前記回転環は、
ヒンジと、
前記ヒンジの一端に一面の中心が当接する形態で前記本体の内部に設けられる内部係止部と、
前記ヒンジの他端に一面の中心が当接する形態で前記本体の外部に設けられる外部係止部と、
前記外部係止部の他面に設けられ、前記紐が連結される連結部とから構成されることを特徴とする、請求項１に記載のカメラレンズ保管および交換装置。
【請求項６】
前記本体は、前記ヒンジが貫通しうるホールが設けられることを特徴とする、請求項５に記載のカメラレンズ保管および交換装置。
【請求項７】
前記本体は、前記回転環によって前記ヒンジを軸として３６０°回転することを特徴とする、請求項６に記載のカメラレンズ保管および交換装置。
【発明の詳細な説明】
【技術分野】
【０００１】
本発明は、カメラレンズ保管および交換装置に係り、より詳しくは、野外活動の際に、ユーザーがより速くかつ便利にカメラレンズを交換し保管することができるようにする、カメラレンズ保管および交換装置に関する。
【背景技術】
【０００２】
デジタルカメラは、性能や構成、価格、大きさなどの特性が類似した幾つかの製品群に分類することができる。現在、一般に区分するデジタルカメラの種類には、コンパクト(Compact)カメラやハイエンド(High-End)カメラ、ＤＳＬＲ(Digital Single Lens Reflex)カメラ、ミラーレス(mirrorless)カメラ、ハイブリッド(hybrid)カメラなどがある。
【０００３】
コンパクト(Compact)カメラとハイエンドカメラは、２０００年前後に相当な人気を集めたが、それより性能に優れたＤＳＬＲカメラが本格的に普及し始めた２００５年頃からは市場で益々存在感が弱まっている。
【０００４】
ＳＬＲカメラとは、レンズとフィルムとの間に鏡やペンタプリズム（五角プリズム）などの光学装置を配置したものである。ＳＬＲカメラは、レンズから入ってきた画像を焦点スクリーンに投射すると同時に、レンズに入ってきた画像を直接反射してビューファインダーに正確に結ぶようにするため、撮影者が見るのと完全に同一の写真を得ることができることに特徴がある。
【０００５】
このような構造のため、ＳＬＲカメラは、製品の大きさが大きく、内部空間にも余裕があるため、様々な付加機能を加えることができ、多様なレンズを取り付けるにも有利である。大部分のＳＬＲカメラは、ユーザーが直接レンズを交換、装着することができるようになっており、装着されたレンズの種類によって写真の特性が大きく異なるため、様々な写真演出の必要な専門家が愛用する。
【０００６】
ミラーレス(mirrorless)カメラ或いはハイブリッド(hybrid)カメラは、ＤＳＬＲカメラとは異なり、内部に反射鏡（鏡）がないため、ミラーレス(mirrorless)と呼び、コンパクトカメラとＤＳＬＲカメラの特性を全て含んでいるため、ハイブリッド（hybrid：混合）カメラとも呼ぶ。ＤＳＬＲカメラのようにレンズの交換装着が可能であるが、本体の大きさはコンパクトカメラほど小さいことが最も大きい特徴である。
【０００７】
前述したように現在多く使用されているＤＳＬＲカメラ、ミラーレス(mirrorless)カメラ或いはハイブリッド(hybrid)カメラは、ユーザーが直接レンズを交換し装着することができるため、カメラを携帯するときに通常２つ以上のレンズを携帯するようになっている。これにより、携帯したレンズを保管することが可能な保管装備も多く開発された。その中でも最も広く使用されているものがカメラレンズパウチである。
【０００８】
カメラレンズパウチを使用する場合、まずパウチから交換すべきレンズを取り出した後、カメラに装着された既存のレンズを分離してパウチに入れ、交換すべきレンズをカメラに再び装着する作業が行われることになる。カメラレンズの大きさおよび形態を考慮したとき、ユーザーが容易かつ速くレンズを交換することは容易でない。交換中にレンズを落とす危険性が非常に大きく、このような危険性を減らすために任意の場所にレンズを据え置くこともできるが、これも紛失の危険性だけでなく、外部の衝撃または力による破損または紛失の危険性を抱えている。
【発明の概要】
【発明が解決しようとする課題】
【０００９】
本発明は、上述した問題点を解決するためになされたもので、その目的は、任意の場所にレンズを据え置くことなく、ユーザーが速くかつ便利にカメラレンズを交換し保管することが可能なカメラレンズ保管および交換装置を提供することにある。
【課題を解決するための手段】
【００１０】
上記目的を達成するために、本発明のある観点によれば、本体と、前記本体の両端に設けられ、カメラレンズのレンズマウントに結合する一対の結合マウントと、前記本体の外面に設けられる一対の回転環とを含んでなる、カメラレンズ保管および交換装置を提供する。
【００１１】
前記一対の回転環は、両端が連結されて設けられる紐を備えてもよい。
【００１２】
前記結合マウントの内周面には、前記レンズマウントが結合した後に離脱しないようにする複数の固定部が備えられてもよい。
【００１３】
前記本体は、前記レンズマウントの末端が前記固定部から容易に分離されるようにするボタンをさらに備えてもよい。
【００１４】
前記回転環は、ヒンジと、前記ヒンジの一端に一面の中心が当接する形態で前記本体の内部に設けられる内部係止部と、前記ヒンジの他端に一面の中心が当接する形態で前記本体の外部に設けられる外部係止部と、前記外部係止部の他面に設けられ、前記紐が連結される連結部とから構成できる
前記本体は、前記ヒンジが貫通しうるホールが設けられてもよい。
【００１５】
前記本体は、前記回転環によって前記ヒンジを軸として３６０°回転してもよい。
【発明の効果】
【００１６】
本発明に係るカメラレンズ保管および交換装置によれば、交換装置の両端にレンズマウントと結合可能な結合マウントを備え、交換すべきレンズとカメラに装着されたレンズを同時に交換装置に対して結合または分離することができるため、容易かつ速くカメラレンズを交換することができる。
【図面の簡単な説明】
【００１７】
【図１】本発明の一実施形態に係るカメラレンズ保管および交換装置を示す斜視図である。
【図２】本発明の一実施形態に係る回転環を示す斜視図である。
【図３】本発明の一実施形態に係る回転環が本体に結合した様子を示す斜視図である。
【図４】図３に示した回転環によってカメラレンズ保管および交換装置が回転する様子を示す例示図である。
【発明を実施するための形態】
【００１８】
以下に添付図面を参照しながら、本発明の一実施形態に係るカメラレンズ保管および交換装置について詳細に説明する。
【００１９】
図１は本発明の一実施形態に係るカメラレンズ保管および交換装置を示す斜視図である。
【００２０】
図１に示すように、本発明の一実施形態に係るカメラレンズ保管および交換装置１０は、本体１００と、前記本体１００の両端に設けられ、カメラレンズ２０のレンズマウント２１に結合する一対の結合マウント２００と、前記本体１００の外面に設けられる一対の回転環３００とを含んでなることができる。そして、前記一対の回転環３００は、両端が連結されて設けられる紐４００を備えることができる。
【００２１】
前記本体１００と結合マウント２００とが一体型に製作されるか、或いは本体１００と結合マウント２００とがそれぞれ製作されて螺合または溶接などの結合方法によって結合できる。
【００２２】
前記結合マウント２００の内周面には、前記レンズマウント２１が結合した後に離脱しないようにする複数の固定部２１０が設けられてもよい。前記固定部２１０は、２つの固定突起２１１を一対にして備えてもよい。該２つの固定突起２１１は、薄い板状をし、同一の大きさを有し、所定の距離をおいて設けられてもよい。そして、複数の固定部２１０の間には、レンズマウント２１の末端が結合マウント２００の内部に挿入できる挿入溝２１２が設けられてもよい。レンズマウント２１は、前記挿入溝２１２に末端が挿入された後、一定の角度でカメラレンズ２０を回転させることにより、レンズマウント２１の末端が前記２つの固定突起２１１の間に挿入できる。これにより、レンズマウント２１は結合マウント２００に装着できる。前記２つの固定突起２１１間の距離をレンズマウント２１の末端の厚さと同一にして一定の角度でカメラレンズ２０を回転させ、レンズマウント２１の末端が前記２つの固定突起２１１の間に挿入された後に互いにきつい状態を保つようにすることができる。レンズマウント２１の末端と前記２つの固定突起２１１がきつい状態を保つようにする理由は、カメラレンズ２０をカメラレンズ保管および交換装置１０に装着した後、ユーザーの不注意や外部の衝撃または力によってカメラレンズ２０がカメラレンズ保管および交換装置１０から離脱することを防止するためである。
【００２３】
ところが、カメラレンズ２０をカメラレンズ保管および交換装置１０に装着した後、ユーザーの不注意や外部の衝撃または力によってカメラレンズ２０がカメラレンズ保管および交換装置１０から離脱することを防止するために、固定突起２１１間の距離をレンズマウント２１の末端の厚さと同一にする場合、カメラレンズ２０をカメラレンズ保管および交換装置１０から分離することに困難さを伴うおそれがある。そして、無理な分離によりレンズマウント２１または結合マウント２００が損傷するおそれがある。
【００２４】
よって、カメラレンズ保管および交換装置１０の本体１００は、レンズマウント２１の末端が固定部２１０から容易に分離されるようにするボタン１１０を備えてもよい。ボタン１１０は、固定部２１０をなす２つの固定突起２１１のうち、結合マウント２００の内側方向に設けられる固定突起２１１が結合マウント２００の内側方向に動くことができるようにすることができる。
【００２５】
前記ボタン１１０によって、レンズマウント２１の末端は固定部２１０から容易に分離できる。例えば、カメラレンズ２０がカメラレンズ保管および交換装置１０に装着されている状態でカメラレンズ２０をカメラレンズ保管および交換装置１０から分離しようとする場合、ボタン１１０を押した状態でカメラレンズ２０を一定の方向に回転させると、ボタン１１０を押さずにカメラレンズ２０を一定の方向に回転させるときより容易に回転させることができるため、容易に分離することができる。その理由は、ボタン１１０を押すことにより２つの固定突起２１１間の距離が広げられるため、レンズマウント２１の末端が容易に２つの固定突起２１１の間から抜け出ることができ、容易にカメラレンズ２０をカメラレンズ保管および交換装置１０から分離することができるからである。
【００２６】
これとは逆に、カメラレンズ２０がカメラレンズ保管および交換装置１０から分離されている状態でカメラレンズ２０をカメラレンズ保管および交換装置１０に装着する場合、レンズマウント２１の末端を挿入溝２１２に挿入した後、ボタン１１０を押した状態でカメラレンズ２０を一定の方向に回転させると、ボタン１１０を押さずにカメラレンズ２０を一定の方向に回転させるときより容易に回転させることができるため、容易に装着することができる。
【００２７】
そして、ボタン１１０の末端には弾性部材１１１が設けられ、弾力的に２つの固定突起２１１間の距離が調節できる。よって、カメラレンズ２０をカメラレンズ保管および交換装置１０に装着した後、ボタン１１０をもはや押さない場合、弾性部材１１１によってボタン１１０が弾力的に原位置に戻ることになり、ボタン１１０に連結された結合マウント２００の内側方向に設けられる固定突起２１１も原位置に位置することになり、装着後にはさらにレンズマウント２１の末端と２つの固定突起２１１はきつい状態を保つことができる。
【００２８】
一方、カメラレンズ２０を装着するカメラレンズ保管および交換装置１０に備えられる紐４００は、ユーザーが肩から斜めにかけたり片方の肩にかけたりすることが可能な紐４００から構成できる。そして、ユーザーに応じて紐４００の長さを調節することが可能な調節部４１０が備えられてもよい。
【００２９】
次に、本体１００に設けられ、前記紐４００を本体１００と連結させる回転環３００について説明する。
【００３０】
図２は本発明の一実施形態に係る回転環を示す斜視図、図３は本発明の一実施形態に係る回転環が本体に結合した様子を示す斜視図である。
【００３１】
図２および図３に示すように、本発明の一実施形態に係る回転環３００は、ヒンジ３１０と、前記ヒンジ３１０の一端に一面の中心が当接する形態で前記本体１００の内部に設けられる内部係止部３２０と、前記ヒンジ３１０の他端に一面の中心が当接する形態で前記本体１００の外部に設けられる外部係止部３３０と、前記外部係止部３３０の他面に設けられ、前記紐４００が連結される連結部３４０とから構成できる。そして、本体１００には、前記ヒンジ３１０が貫通しうるホール１２０が設けられ得る。
【００３２】
前記回転環３００のヒンジ３１０は、円柱状をし、本体１００のホール１２０の大きさより所定の大きさだけ小さい大きさを有することにより、ホール１２０から自由に回転をすることができる。そして、ヒンジ３１０の一面には、本体１００の内部に設けられる内部係止部３２０が備えられてもよい。内部係止部３２０は、ヒンジ３１０と同じ円柱状をし、ホール１２０の大きさより所定の大きさだけ大きい大きさを有することにより、回転環３００の本体１００からの離脱を防止することができる。
【００３３】
ヒンジ３１０の他面には、本体１００の外部に設けられる外部係止部３３０が備えられてもよい。外部係止部３３０は、内部係止部３２０と同様にヒンジ３１０と同じ円柱状をし、ホール１２０の大きさより所定の大きさだけ大きい大きさを有することにより、回転環３００が本体１００の内部に抜けることを防止することができる。
【００３４】
ヒンジ３１０は本体１００の厚さより所定の大きさだけ長く形成することができる。ヒンジ３１０が本体１００の厚さに相当する長さに形成される場合、回転環３００が本体１００を軸として回転するとき、内部係止部３２０と外部係止部３３０が本体１００に当接しているため、摩擦力が発生して容易に回転することができない。これとは逆に、ヒンジ３１０が本体１００の厚さより非常に長い長さだけ長く形成される場合、ヒンジ３１０が本体１００の内部と外部で動く幅が広くなる。よって、ヒンジ３１０が動く幅だけヒンジ３１０の両面に設けられた内部係止部３２０および外部係止部３３０に加えられる力が増加することになり、内部係止部３２０および外部係止部３３０が破損したりヒンジ３１０から離脱したりする。よって、ヒンジ３１０は、内部係止部３２０および外部係止部３３０に無理がいかないように本体１００の厚さより所定の長さだけ長く形成することができる。
【００３５】
そして、外部係止部３３０は、ヒンジ３１０と当接する面の反対側の面に紐４００が連結される連結部３４０を備えることができる。連結部３４０と外部係止部３３０とは、一体型に製作されてもよく、それぞれ製作されて螺合や溶接などの多様な結合方法によって一体化されてもよい。また、連結部３４０は、図３に示すように、外部係止部３３０と同じ大きさの円柱状に形成できるが、四角柱状、円錐状、三角錐状などの多様な形状に形成されてもよい。
【００３６】
また、前記連結部３４０は、図面の如く、紐４００が貫通しうる連結ホール３４１が設けられる。よって、紐４００の一端を連結ホール３４１に貫通させた後、紐４００の一端を紐４００の一部に結合させることにより、紐４００を連結部３４０に連結することができる。この他にも、連結ホール３４１が設けられていない連結部３４０は、紐４００が連結部３４０の外周面を取り囲むようにした後、紐４００の一端を紐４００の一部に結合させることにより紐４００を連結部３４０に連結することもでき、連結部３４０の外周面を取り囲むことなく紐４００の一端を連結部３４０に連結することもできる。
【００３７】
次に、カメラレンズ保管および交換装置１０が回転環３００を備えることによる効果について説明する。
【００３８】
図４は図３に示した回転環によってカメラレンズ保管および交換装置が回転する様子を示す例示図である。
【００３９】
図４に示すように、本発明の一実施形態に係るカメラレンズ保管および交換装置１０の本体１００は、前記回転環３００によってヒンジ３１０を軸として３６０°回転することができる。
【００４０】
例えば、カメラレンズ保管および交換装置１０の一対の結合マウント２００のうち１つの結合マウント２００にカメラレンズ２０を結合させなければならない場合、まず本体１００を手で持った後、一対の結合マウント２００のうち１つの結合マウント２００がユーザーの目に見えるほどだけカメラレンズ保管および交換装置１０を回転させることができる。そして、カメラレンズ２０のレンズマウント２１を結合マウント２００と結合させることができる。この際、結合マウント２００に結合したカメラレンズ２０は、カメラレンズ２０の自重によって、ユーザーが手動で回転させなくても回転環３００によってヒンジ３１０を軸として地面の方へ回転することになる。
【００４１】
別の例を挙げて、カメラレンズ保管および交換装置１０の一対の結合マウント２００のうち１つの結合マウント２００にカメラレンズ２０が結合しており、カメラに装着されているカメラレンズ２０と交換しようとする場合、カメラレンズ保管および交換装置１０に結合しているカメラレンズ２０は自重によって地面に向いているため、カメラレンズ２０が結合していない結合マウント２００は地面と反対の方向に位置することができる。よって、ユーザーは、カメラに装着されているカメラレンズ２０を分離した後、カメラレンズ２０が結合していない結合マウント２００にカメラから分離したカメラレンズ２０を結合させることができる。そして、交換すべきカメラレンズ２０を結合マウント２００から分離してカメラに装着することができる。この際、カメラから分離されてカメラレンズ保管および交換装置１０に結合したカメラレンズ２０は、カメラレンズ２０の自重によって、ユーザーが手動で回転させなくても回転環３００によってヒンジ３１０を軸として地面の方へ回転することになる。カメラレンズ２０が地面に向くことにより、より安全にカメラレンズ２０を携帯することができ、携帯した状態で移動するときに不便さを誘発することがない。
【００４２】
上述したように、カメラレンズ保管および交換装置１０は、回転環３００によってユーザーが便利にカメラレンズ２０を交換することができる。
【００４３】
以上、本発明の一実施形態に係るカメラレンズ保管および交換装置について説明したが、本発明の思想は本明細書に提示される実施形態に制限されない。そして、本発明の思想を理解する当業者は、同一思想の範囲内において、構成要素の付加、変更、削除、追加などによって様々な他の実施形態を容易に提案することができる。それらの実施形態も本発明の思想範囲内に属すると理解すべきである。
【図１】
2016520849.tif 000003
【図２】
2016520849.tif 000004
【図３】
2016520849.tif 000005
【図４】
2016520849.tif 000006
【国際調査報告】
2016520849.tif 000007
2016520849.tif 000008
2016520849.tif 000009
2016520849.tif 000010